(57)【要約】【課題】栽培用棚において棚を形成している各棚棒が軸周方向に回転しないようにして、複数の棚棒に跨るように載置されている栽培床容器を安定させるようにし、栽培床容器がずれて傾いたり、下に落ちてしまうことを防止できる茸類栽培用棚を提供する。【解決手段】茸類栽培用棚(A)は、棚部(4)が多段に設けられている組立式であって、各棚部(4)は、棚棒(40)を所要間隔で水平方向へ並設して形成されており、棚棒(40)は角棒で形成されており、長さ方向両端部がその取付部の断面形状と部分的に同じ形状の保持部(17,17a,22,22a,32,32a)に差し入れて軸周方向に回らないように保持されており、栽培床容器を載置する対となった棚棒(40)は、各棚棒(40)の上部にある載置面(401)が互いに他方の棚棒(40)側へ向けて所要角度で下り傾斜するように保持されている。【選択図】図１
2010099008.tif 000002
【特許請求の範囲】
【請求項１】
フレーム(1,2,2a,3)に棚部(4)が多段に設けられている組立式の茸類栽培用棚であって、
各棚部(4)は、複数の棚棒(40)を所要間隔で水平方向へ並設して形成されており、
各棚棒(40)は、外形の断面が少なくとも取付部において多角形状であり、
各棚棒(40)は、フレーム(1,2,2a,3)に設けられ、棚棒(40)の取付部の断面形状と同じ形状または部分的に同じ形状で棚棒(40)を軸周方向に回らないように保持する保持部(17,17a,22,22a,32,32a)で保持されている、
茸類栽培用棚。
【請求項２】
棚棒(40)は角棒または角管で形成されており、長さ方向においては水平に、かつ軸周方向に設けられている複数の面が軸周方向において何れも傾斜するように保持されている、
請求項１記載の茸類栽培用棚。
【請求項３】
栽培床容器を載置する対となった棚棒(40)を有しており、各棚棒(40)の上部にある載置面(401)は互いに他方の棚棒(40)側へ向けて所要角度で下り傾斜するように保持されている、
請求項１記載の茸類栽培用棚。
【発明の詳細な説明】
【技術分野】
【０００１】
本発明は、茸類栽培用棚に関するものである。更に詳しくは、棚を形成している各棚棒が軸周方向に回転しないようにして、複数の棚棒に跨るように載置されている栽培床容器を安定させるようにし、栽培床容器がずれて傾いたり、下に落ちてしまうことを防止できるようにしたものに関する。
【背景技術】
【０００２】
茸類を屋内で栽培するために栽培用棚（生育ラック等ともいう）が使用されている。栽培用棚の棚は、通気性の確保のために棚棒を所要間隔で並設して形成されているのが一般的である（特許文献１参照）。
【０００３】
このような栽培用棚は、製造後に運搬（輸送）や保管を行うときの利便性を高めるため、通常は組立式になっている。組立式の栽培用棚の各棚棒は、両端部の中心部をフレームに対して螺子（またはボルト）止めして固定されている。また、棚棒の断面形状は、方向性を考えないで迅速な組み立てができるように、円形になっているものが多い。
【０００４】
【特許文献１】特開２００５−７３６７３
【発明の開示】
【発明が解決しようとする課題】
【０００５】
しかしながら、前記従来の組立式の栽培用棚には次のような課題があった。
すなわち、前記のように棚棒を取り付けると、棚棒をフレームに固定している螺子やボルトが緩みやすく、緩むと棚棒が軸周方向に回転するので、複数の棚棒に跨るように載置されている栽培床容器が安定しにくい。このため、栽培床容器がずれて傾いたり、下に落ちてしまうことがあった。
【０００６】
また、螺子やボルトが大きく緩んでしまうと、例えば栽培用棚を移動させるときに他の栽培用棚や壁等に接触したりして衝撃が加わった場合に棚棒が脱落することもあり、危険であった。
【０００７】
（本発明の目的）
本発明の目的は、栽培用棚において棚を形成している各棚棒が軸周方向に回転しないようにして、複数の棚棒に跨るように載置されている栽培床容器を安定させるようにし、栽培床容器がずれて傾いたり、下に落ちてしまうことを防止できる茸類栽培用棚を提供することである。
【０００８】
また、本発明の他の目的は、例えば栽培用棚を移動させるときに他の栽培用棚や壁等に接触したりして衝撃が加わった場合でも、棚棒が容易に脱落することがないようにして安全性を高めた茸類栽培用棚を提供することである。
【課題を解決するための手段】
【０００９】
上記課題を解決するために本発明が講じた手段は次のとおりである。
本発明は、
フレームに棚部が多段に設けられている組立式の茸類栽培用棚であって、
各棚部は、複数の棚棒を所要間隔で水平方向へ並設して形成されており、
各棚棒は、外形の断面が少なくとも取付部において多角形状であり、
各棚棒は、フレームに設けられ、棚棒の取付部の断面形状と同じ形状または部分的に同じ形状で棚棒を軸周方向に回らないように保持する保持部で保持されている、
茸類栽培用棚である。
【００１０】
本発明は、
棚棒は角棒または角管で形成されており、長さ方向においては水平に、かつ軸周方向に設けられている複数の面が軸周方向において何れも傾斜するように保持されている、
前記茸類栽培用棚である。
【００１１】
本発明は、
栽培床容器を載置する対となった棚棒を有しており、各棚棒の上部にある載置面は互いに他方の棚棒側へ向けて所要角度で下り傾斜するように保持されている、
前記茸類栽培用棚である。
【００１２】
（作用）
本発明に係る茸類栽培用棚の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１３】
茸類栽培用棚(A)に多段に設けられている棚部(4)を構成している棚棒(40)は、外形の断面が少なくとも取付部において多角形状であり、この取付部が、フレーム(1,2,2a,3)に設けられ取付部の断面形状と同じ形状または部分的に同じ形状の保持部(17,17a,22,22a,32,32a)で保持されることにより、軸周方向に回らないようになっている。
【００１４】
これにより、従来の螺子止めされた棚棒と相違して、例えば長く使用することによって取付部が緩んで棚棒が軸周方向へ回転するようなことがなく、載置されている栽培床容器(5)が棚棒(40)上でずれて傾いたり、あるいは棚棒(40)から落下することを防止できる。
また、例えば栽培用棚(A)を移動させるときに他の栽培用棚や壁等に接触したりして衝撃が加わった場合でも、棚棒(40)が容易に脱落することがなく、安全性を高めることができる。
【００１５】
棚棒(40)は角棒または角管で形成されており、長さ方向においては水平に、かつ軸周方向に設けられている複数の面が軸周方向において何れも傾斜するように保持されているものは、栽培床容器(5)を棚棒(40)に載置したときに、容器(5)の底が棚棒(40)の一または複数の角条部に当たる。これにより、容器(5)の底と棚棒(40)の掛かりがより強くなり、棚棒(40))上での容器のずれが生じにくい。特に、容器(5)が軟らかく変形しやすい場合は、その作用が顕著である。
【００１６】
また、栽培床容器(5)を載置する対となった棚棒(40)を有しており、各棚棒(40)の上部にある載置面(401)は互いに他方の棚棒(40)側へ向けて所要角度で下り傾斜するように保持されているものは、前記のように容器(5)の底と棚棒(40)の掛かりがより強くなると共に、両載置面(401)によって各棚棒(40)間に容器(5)の底が収まるようにして保持することができる。これにより、容器(5)を棚棒(40)上でより安定させることができる。
【発明の効果】
【００１７】
本発明は次の効果を有する。
（ａ）本発明は、棚部を構成している棚棒が外形の断面が少なくとも取付部において多角形状であり、長さ方向両端部がフレームに設けられ取付部の断面形状と同じ形状または部分的に同じ形状の保持部で保持されることにより、軸周方向に回らないようになっているので、従来の螺子止めされた棚棒と相違して、例えば継続して長く使用することによって取付部が緩んで棚棒が軸周方向へ回転するようなことがなく、載置されている栽培床容器が棚棒上でずれて傾いたり、あるいは棚棒から落下することを防止できる。
【００１８】
（ｂ）本発明は、例えば栽培用棚を移動させるときに他の栽培用棚や壁等に接触したりして衝撃が加わった場合でも、棚棒が容易に脱落することがなく、安全性を高めることができる。
【発明を実施するための最良の形態】
【００１９】
本発明を図面に示した実施の形態に基づき詳細に説明する。
図１は本発明に係る茸類栽培用棚の一実施形態を示す斜視図、
図２は図１に示す茸類栽培用棚の分解斜視説明図、
図３は棚棒の取付構造を示す側面から見た断面説明図、
図４は棚棒の取付構造を示す正面から見た断面説明図である。
なお、図４では説明の便宜上、棚取付フレーム材と棚棒のみを表している。
【００２０】
茸類栽培用棚Ａは、底部フレーム１、側部フレーム２、２ａ、天部フレーム３及び多段に設けられた複数の棚部４により形成されている。茸類栽培用棚Ａは、これら金属製の各部品で組み立てられる組立式である。また、底部フレーム１は最下部の棚部となり、天部フレーム３は最上部の棚部となる。
【００２１】
底部フレーム１は、平行に配された長尺側の二本のフレーム材１０、１０ａを有し、それらの両端部は、同じく平行に配された短尺側の二本の棚取付フレーム材１１、１１ａにより連結されている。なお、フレーム材１０、１０ａと棚取付フレーム材１１、１１ａは、後述する側部フレーム２、２ａを固定する取付具１２が立設されている四角形のベース板１３を介在させて四隅部で固定されている。各ベース板１３には、キャスター１４が取り付けられている。
【００２２】
各ベース板１３に立設されている取付具１２は、断面形状がほぼコ字状の部材であり、開放側を短尺側の棚取付フレーム材１１、１１ａの長さ方向において外側を向くように設けてある。各取付具１２には、長尺側のフレーム材１０、１０ａの長さ方向に各板を貫通する通孔１５（ボルト止め用の孔）が上下二段に設けられている。なお、各取付具１２には、後述する側部フレーム２、２ａの支柱フレーム材２０、２０ａの下端部が外嵌めされて固定される。
【００２３】
前記棚取付フレーム材１１、１１ａは互いに同じ構造であり、各棚棒４０の両端部を取り付ける部材である。なお、棚取付フレーム材１１、１１ａの構造については、一方の棚取付フレーム材１１ａのみを説明し、他方の棚取付フレーム材１１の説明は省略するが、符号については図面において同等箇所に同じ符号を付与している。
【００２４】
棚取付フレーム材１１ａは、断面形状がほぼコ字状の部材であり、開放側が上を向くように設けてある。棚取付フレーム材１１ａの内板１１１は外板１１２よりやや低くなるように形成されている。内板１１１には、長さ方向に等間隔で四箇所に内板１１１を切り欠いた形状の保持部１７、１７ａ、１７、１７ａが形成されている。外板１１２の上部には、上部を全長にわたり内板１１１側へ水平に曲げて止め部１１３が形成されている（図４参照）。
【００２５】
図３、図４を主に参照する。
四箇所に設けられている保持部１７、１７ａ、１７、１７ａは、両側のそれぞれ二箇所の保持部１７、１７ａが一対となる。保持部１７、１７ａは、形状自体は同じであるが、口縁部を形成する辺の傾斜が互いに線対称となっている。
【００２６】
保持部１７、１７ａを形成する三つの辺１７１、１７２、１７３のうち、内側の辺１７１と下側の辺１７２及び下側の辺１７２と外側の辺１７３は、それぞれ直角を成して形成されている。下側の辺１７２は、内板１１１上部の止め部１１３に対して１５°の角度で傾斜している。両側に他の辺がある下側の辺１７２の長さは、断面の外形が正方形状である棚棒４０の一辺の長さより若干長く、棚棒４０との嵌め合いが可能となっている。これについては後述する保持部２２、２２ａ、３２、３２ａ、２２ｃも同様である。
【００２７】
そして、棚取付フレーム材１１、１１ａ間には、四本の棚棒４０が両端部を各保持部１７、１７ａに差し入れて溶接されている。溶接された棚棒４０の上角部は、前記止め部１１３の下面にほぼ当接するようになっている（図４参照）。このように取り付けられることにより、各棚棒４０は、長さ方向においては水平に、かつ軸周方向に設けられている四面が何れも水平にならないように傾斜している。
【００２８】
また、一対の保持部１７、１７ａ（棚取付フレーム材１１、１１ａでは、それぞれ二対設けられている）で保持される各棚棒４０の上部の載置面４０１（茸類を栽培する栽培床容器５が載置される面）は、互いに他方の棚棒４０側へ向けて１５°の角度で下り傾斜している。
このように各棚棒４０と棚取付フレーム材１１、１１ａ及びフレーム材１０、１０ａは一体化されて底部フレーム１が形成されている。
【００２９】
側部フレーム２は、他方の側部フレーム２ａと同じ構造であり、互いに棚取付フレーム材２１の内板（符号省略）側を相対向させるように底部フレーム１の長さ方向両端部に、それぞれ底部フレーム１と直角を成して立設されている。側部フレーム２、２ａの固定方法については後述する。
なお、側部フレーム２、２ａの構造については、一方の側部フレーム２のみを説明し、他方の側部フレーム２ａの説明は省略する。側部フレーム２、２ａの各部の符号については、図面において同等箇所に同じ符号を付与している。
【００３０】
側部フレーム２は、平行に配された二本の支柱フレーム材２０、２０ａを有している。支柱フレーム材２０、２０ａは、角管（角パイプ）で形成されている。支柱フレーム材２０、２０ａは、その長さ方向に等間隔で五箇所に配された棚取付フレーム材２１の両端を溶接することにより連結されている。
各棚取付フレーム材２１は、前記棚取付フレーム材１１、１１ａと同じ構造であり、保持部１７、１７ａと同じ形状の保持部２２、２２ａが設けられている。なお、保持部２２、２２ａの構造の細部については説明を省略する。
【００３１】
支柱フレーム材２０、２０ａの下端部には、前記各取付具１２に嵌めたときに、通孔１５と位置と方向が重なる通孔２３が各板を貫通して上下二段に設けられている。
また、支柱フレーム材２０、２０ａの上端部には、後述する天部フレーム３を取り付けるための取付板２４が設けられている。各取付板２４には通孔２５（ボルト止め用の孔）が形成されている。
【００３２】
側部フレーム２、２ａは、それぞれの支柱フレーム材２０、２０ａの下端部を前記各取付具１２に外嵌めし、各通孔１５、２３に通してボルト止めすることにより固着されている。側部フレーム２、２ａの同じ高さの棚取付フレーム材２１間には、各段においてそれぞれ四本の棚棒４０が保持されている。
【００３３】
なお、各棚取付フレーム材２１による各棚棒４０の保持は、各棚棒４０を各棚取付フレーム材２１の保持部２２、２２ａに差し入れることにより行われ、前記底部フレーム１及び後述する天部フレーム３の場合とは相違して溶接はされない。
また、この保持を行うにあたっては、まず支柱フレーム材２０、２０ａを各取付具１２に甘く嵌めて上部側を拡げた状態にし、下段側から順に各棚棒４０を各棚取付フレーム材２１の保持部２２、２２ａに差し入れながら、徐々に上部側の間隔を狭めていき、上段まで棚棒４０を差し入れるようにして行われる。
【００３４】
側部フレーム２、２ａ間で保持される各棚棒４０は、両端部が溶接で固着されていないが、保持部２２、２２ａを形成する三つの辺２２１、２２２、２２３（図３の括弧付き符号参照：保持部１７、１７ａの１７１、１７２、１７３に相当）で止められるので軸周方向へ回ることはない。また、各棚棒４０の両端部は、止め部２２４（図３の括弧付き符号参照：前記止め部１１３に相当）によって止められるので、上方へ抜け外れることはない。
【００３５】
天部フレーム３は、四本の平行に配された棚棒４０の両端部を二本の棚取付フレーム材３１、３１ａで連結した構造である。棚取付フレーム材３１、３１ａは、前記棚取付フレーム材１１、１１ａ、２１と同じ構造であり、保持部１７、１７ａと同じ形状の保持部３２、３２ａが設けられている。なお、保持部３２、３２ａについての詳細な説明は省略する。
【００３６】
そして、天部フレーム３において、各棚棒４０の棚取付フレーム材３１、３１ａに対する取付構造は、前記棚取付フレーム材１１、１１ａに対する取付構造と同様であり、各棚棒４０と各棚取付フレーム材３１、３１ａは溶接して一体化されている。
【００３７】
各棚取付フレーム材３１、３１ａの両端部には、通孔（符号省略）が設けられている。天部フレーム３は、前記のように立設した側部フレーム２、２ａ間に架け渡し、各棚取付フレーム材３１、３１ａの各通孔と前記各取付板２４の通孔２５に通してボルト止めすることにより固着されている。
【００３８】
このように組み立てられることにより、各段それぞれ四本の並設された棚棒４０によって棚部４が形成されている。棚部４は、底部フレーム１と天部フレーム３に設けられている棚部４も含め、全部で七段形成されている。なお、棚部４を構成する棚棒４０の本数や棚部４の段数については、適宜設定が可能である。
【００３９】
（作用）
図５は茸類栽培用棚の使用状態を示す説明図であり、（ａ）は正面図、（ｂ）は側面図である。図１ないし図５を参照して本実施の形態に係る茸類栽培用棚の作用を説明する。
【００４０】
茸類栽培用棚Ａに多段に設けられている各棚部４には、シイタケ等の茸類を栽培する栽培床容器５が並べられて載置される。各栽培床容器５は、厚手の合成樹脂シートで袋状に形成されたものであり、柔軟性（変形性）を有している。栽培床容器５は、内部にオガクズ等の床材（培地）が入れられ、床材に茸類の菌を接種して茸類を栽培することができるものである。なお、栽培床容器については前記構造に限定されるものではなく他の構造のものも使用できる。
【００４１】
各棚部４を構成している棚棒４０は、外形の断面が四角形状の角棒であり、長さ方向両端部が、棚取付フレーム材１１、１１ａ、２１、３１、３１ａの各保持部１７、１７ａ、２２、２２ａ、３２、３２ａに差し入れて保持されており、特に他と相違して溶接されていない各保持部２２、２２ａに対する取付部においても、取付部の断面形状（四角形）と部分的に同じ形状の保持部２２、２２ａに差し入れることにより、軸周方向に回らないようになっている。しかも、各棚棒４０の両端部は止め部２２４によって止められるので、上方へ容易には抜け外れることがない。
【００４２】
また、栽培床容器５を載置する対となった各棚棒４０の上部にある載置面４０１は互いに他方の棚棒４０側へ向けて下り傾斜しているので、栽培床容器５の底が棚棒４０の最も高い部分である角条部に当たって柔軟に変形し、栽培床容器５の底と棚棒の掛かりがより強くなる。さらに、各棚棒４０の両載置面４０１によって、各棚棒４０間に栽培床容器５の底が収まるようにして保持することができる。これにより、栽培床容器５を棚棒４０上でより安定させることができる。
【００４３】
これにより、従来の螺子止めされた棚棒と相違して、例えば継続して長く使用することによって取り付けが緩んで棚棒が軸周方向へ回転するようなことがなく、載置されている栽培床容器５が棚棒４０上でずれて傾いたり、あるいは棚棒４０から落下することを防止できる。
また、例えば茸類栽培用棚Ａを移動させるときに他の栽培用棚や壁等に接触したりして衝撃が加わった場合でも、棚棒４０が容易に脱落することがなく、安全性を高めることができる。
【００４４】
図６、図７、図８は、棚棒の取付構造の他の実施形態を示す説明図である。
図６に示したものは、前記実施形態と同じように棚取付フレーム材２１ａに棚棒４０が保持されており、対となった二本の棚棒４０の中間に、載置面４０２が水平な棚棒４０ａが軸周方向へ回転しないようにして保持されている。
これによれば、栽培床容器５の両側を各棚棒４０で支えるだけでなく、中間部を棚棒４０ａで支えることができるので、比較的重量のある大きな栽培床容器であっても、棚棒４０間から抜け落ちることがなく確実に保持することができる。
【００４５】
図７に示したものは、棚取付フレーム材２１ｂに保持されている各棚棒４０ｂが、軸周方向の各面が水平方向と４５°を成すように、かつ軸周方向へ回転しないようにして保持されている。また、各棚棒４０ｂが保持されている棚取付フレーム材２１ｂの保持部２２ｂは、中心角が９０°であるＶ字形状である。
これによれば、保持部２２ｂの辺の数が前記保持部１７、２２、３２等と比べて少ない分、容易に加工することができ、製造コストも安価にできる。
【００４６】
図８に示したものは、棚取付フレーム材２１ｃに保持されている各棚棒４０ｃが、軸周方向の各面が水平と垂直になるように、かつ軸周方向へ回転しないようにして保持部２２ｃに保持されているものである。
【００４７】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００４８】
【図１】本発明に係る茸類栽培用棚の一実施形態を示す斜視図。
【図２】図１に示す茸類栽培用棚の分解斜視説明図。
【図３】棚棒の取付構造を示す側面から見た断面説明図。
【図４】棚棒の取付構造を示す正面から見た断面説明図。
【図５】茸類栽培用棚の使用状態を示す説明図であり、（ａ）は正面図、（ｂ）は側面図。
【図６】棚棒の取付構造の他の実施形態を示す説明図。
【図７】棚棒の取付構造の他の実施形態を示す説明図。
【図８】棚棒の取付構造の他の実施形態を示す説明図。
【符号の説明】
【００４９】
Ａ  茸類栽培用棚
１  底部フレーム
１０、１０ａ  フレーム材
１１、１１ａ  棚取付フレーム材
１１１  内板
１１２  外板
１１３  止め部
１２  取付具
１３  ベース板
１４  キャスター
１５  通孔
１７、１７ａ  保持部
１７１、１７２、１７３  辺
２、２ａ  側部フレーム
２０、２０ａ  支柱フレーム材
２１  棚取付フレーム材
２２、２２ａ  保持部
２２１、２２２、２２３  辺
２２４  止め部
２３  通孔
２４  取付板
２５  通孔
３  天部フレーム
３１、３１ａ  棚取付フレーム材
３２、３２ａ  保持部
４  棚部
４０  棚棒
４０１  載置面
５  栽培床容器
２１ａ、２１ｂ、２１ｃ  棚取付フレーム材
２２ｂ  保持部
２２ｃ  保持部
４０ａ  棚棒
４０ｂ  棚棒
４０ｃ  棚棒
４０２  載置面
【図１】
2010099008.tif 000003
【図２】
2010099008.tif 000004
【図３】
2010099008.tif 000005
【図４】
2010099008.tif 000006
【図５】
2010099008.tif 000007
【図６】
2010099008.tif 000008
【図７】
2010099008.tif 000009
【図８】
2010099008.tif 000010